(57)【要約】【課題】格納室に格納されたコード付き物品のコードが引っ張られた場合でも、蓋体の開きや変形が生じにくい電子機器を提供する。【解決手段】本発明に一実施形態に係るデジタルカメラにおいて、ロック機構は、蓋体３の先端部３２に配備された一対の係合部４１，４２と、カメラ本体２に配備されて蓋体３が閉じられた状態で一対の係合部４１，４２が係脱可能な一対の係合受け部４３，４４とを具え、一対の係合部４１，４２は、一対の係合受け部４３，４４に係合する前進位置と、一対の係合受け部４３，４４から離脱する後退位置との間で、往復移動が可能である。又、カメラ本体２の格納室１の開口縁１２には、一対の係合受け部４３，４４によって挟まれた位置に、蓋体３が閉じられた状態で格納室１に格納されたカプラＡのコードＡ１を外部へ引き出すための切り欠き２１が形成されている。【選択図】図６
2010124252.tif 000002
【特許請求の範囲】
【請求項１】
コード付きの物品を格納することが可能な格納室が形成された本体と、基端部が前記本体に枢支されて前記格納室の開口を開閉することが可能な蓋体と、該蓋体を閉じ位置でロックするためのロック機構とを具えた電子機器において、
前記ロック機構は、前記蓋体の先端部に配備された一対の係合部と、前記本体に配備されて前記蓋体が閉じられた状態で前記一対の係合部が係脱可能な一対の係合受け部とを具え、前記一対の係合部は、前記一対の係合受け部に係合する前進位置と、前記一対の係合受け部から離脱する後退位置との間で、往復移動が可能であり、
前記本体の格納室の開口縁には、前記一対の係合受け部によって挟まれた位置に、前記蓋体が閉じられた状態で前記格納室に格納された物品のコードを外部へ引き出すための切り欠きが形成されていることを特徴とする電子機器。
【請求項２】
前記ロック機構は、前記蓋体の表面にスライド操作可能に配備されたロックレバーを更に具え、前記一対の係合部は、該ロックレバーのスライドに伴って前記前進位置と後退位置との間を往復移動する請求項１に記載の電子機器。
【発明の詳細な説明】
【技術分野】
【０００１】
本発明は、デジタルカメラなどの電子機器に関し、特にコード付きの物品を格納することが可能な電子機器に関する。
【背景技術】
【０００２】
従来のデジタルカメラにおいては、カメラ本体に、電池を格納する格納室と、該格納室の開口を開閉することが可能な蓋体とが設けられている（例えば、特許文献１参照）。格納室の底面には接続端子が配備されており、格納室に格納された電池が接続端子に接触することにより、電池からカメラ本体に電力が供給される。
【０００３】
又、従来から、カメラ本体には、アダプタを接続するためのコネクタが設けられており、コネクタにアダプタを接続することにより、アダプタによって家庭用交流電源から変換された直流電源をデジタルカメラに供給することが可能になっている。
【０００４】
しかし、上記従来のデジタルカメラでは、アダプタをカメラ本体のコネクタに接続する場合、アダプタから延びたコードがコネクタに差し込まれる構造に過ぎないので、何らかの原因によりアダプタのコードが引っ張られた場合、アダプタがコネクタから抜けてしまい、画像の録画や再生中に電源が切れるという事態を招く虞がある。
【０００５】
そこで、電池の格納室に配備されている接続端子を利用して、アダプタで変換された直流電源をカメラ本体に供給することが提案されている（例えば、特許文献２参照）。具体的には、電池に替えてコード付きのカプラを格納室に格納し、該カプラのコードをアダプタに接続する。
【０００６】
カメラ本体には、蓋体の近傍位置にカプラのコードを通す切り欠きが設けられており、格納室にカプラを格納した場合でも、格納室の入口を蓋体によって閉じることが可能になっている。これにより、格納室からカプラが脱落することが防止されている。
【特許文献１】特開２００３−１４２８４１号公報
【特許文献２】特開２００５−６４３６５号公報
【発明の開示】
【発明が解決しようとする課題】
【０００７】
しかし、格納室にカプラを格納した状態で、何らかの原因によりカプラのコードが引っ張られた場合、蓋体がコードによって開き方向に押圧されて蓋体が開いたり変形したりする虞がある。蓋体が開くとカプラが格納室から脱落し、画像の録画や再生中に電源が切れるという事態を招く。又、蓋体が変形すると、蓋体の破損を招く虞がある。
【０００８】
そこで本発明の目的は、格納室に格納されたコード付き物品のコードが引っ張られた場合でも、蓋体の開きや変形が生じにくい電子機器を提供することである。
【課題を解決するための手段】
【０００９】
本発明に係る電子機器は、コード（Ａ１）付きの物品（Ａ）を格納することが可能な格納室（１）が形成された本体（２）と、基端部（３１）が前記本体（２）に枢支されて前記格納室（１）の開口（１１）を開閉することが可能な蓋体（３）と、該蓋体（３）を閉じ位置でロックするためのロック機構とを具えている。
【００１０】
上記電子機器において、前記ロック機構は、前記蓋体（３）の先端部（３２）に配備された一対の係合部（４１，４２）と、前記本体（２）に配備されて前記蓋体（３）が閉じられた状態で前記一対の係合部（４１，４２）が係脱可能な一対の係合受け部（４３，４４）とを具え、前記一対の係合部（４１，４２）は、前記一対の係合受け部（４３，４４）に係合する前進位置と、前記一対の係合受け部（４３，４４）から離脱する後退位置との間で、往復移動が可能である。
又、前記本体（２）の格納室（１）の開口縁（１２）には、前記一対の係合受け部（４３，４４）によって挟まれた位置に、前記蓋体（３）が閉じられた状態で前記格納室（１）に格納された物品（Ａ）のコード（Ａ１）を外部へ引き出すための切り欠き（２１）が形成されている。
【００１１】
具体的な構成において、前記ロック機構は、前記蓋体（３）の表面にスライド操作可能に配備されたロックレバー（４５）を更に具え、前記一対の係合部（４１，４２）は、該ロックレバー（４５）のスライドに伴って前記前進位置と後退位置との間を往復移動する。
【００１２】
上記電子機器によれば、コード（Ａ１）付きの物品（Ａ）を、切り欠き（２１）からコード（Ａ１）を引き出した状態で格納室（１）に格納することにより、該物品（Ａ）を格納室（１）に格納した状態で格納室（１）の開口（１１）を蓋体（３）によって閉じることが可能となる。そして、蓋体（３）を閉じた後、ロック機構を構成する一対の係合部（４１，４２）を前進位置に移動させて、該一対の係合部（４１，４２）を一対の係合受け部（４３，４４）に係合させることにより、蓋体（３）は閉じ位置でロックされることとなる。このとき、一対の係合受け部（４３，４４）に係合した一対の係合部（４１，４２）の間を、物品（Ａ）のコード（Ａ１）が延びているので、何らかの原因により物品（Ａ）のコード（Ａ１）が引っ張られて蓋体（３）が該コード（Ａ１）によって開き方向に押圧された場合であっても、蓋体（３）に作用する力は、コード（Ａ１）の両側に位置する一対の係合部（４１，４２）と一対の係合受け部（４３，４４）との２つの係合構造によって偏りなく受け止められる。よって、物品（Ａ）のコード（Ａ１）が引っ張られた場合でも、蓋体（３）の開きや変形が生じにくい。
【発明の効果】
【００１３】
本発明に係る電子機器によれば、格納室に格納されたコード付き物品のコードが引っ張られた場合でも、蓋体の開きや変形が生じにくい。
【発明を実施するための最良の形態】
【００１４】
以下、本発明をデジタルカメラに実施した形態につき、図面に沿って具体的に説明する。
本発明に係る一実施形態であるデジタルカメラは、図1及び図２に示す如くカメラ本体２を具え、カメラ本体２には、撮影に必要な機構、即ちレンズ等で構成される撮像機構２２、デジタルカメラを操作するための操作機構２３、撮影時に発光する発光機構２４、撮影した画像を表示するための表示装置２５などが配備されている。
【００１５】
図３に示す如く、カメラ本体２には、乾電池や充電池などの電池を格納するための格納室１が形成されている。格納室１は、カメラ本体２の底面２Ａに開設された開口１１を有しており、開口１１から電池を挿入することにより該電池は格納室１に格納される。
格納室１の底面には接続端子が配備されており（図示せず）、格納室１に格納された電池が接続端子に接触することにより、電池からカメラ本体２に電力が供給される。
【００１６】
本実施の形態に係るデジタルカメラでは、図３に示される様に、電池に替えてコードＡ１付きのカプラＡを格納室１に格納することが可能である。カプラＡを格納室１に格納することにより、アダプタによって家庭用交流電源から変換された直流電源を、格納室１に配備されている接続端子を利用してカメラ本体２に供給することが可能となる。
【００１７】
カメラ本体２には更に、図２及び図３に示される様に、格納室１の開口１１を開閉することが可能な蓋体３が取り付けられている。具体的には、蓋体３は、その基端部３１が格納室１の開口縁１２の近傍位置でカメラ本体２に枢支されている。尚、蓋体３を閉じた状態が図２に示され、蓋体３を開けた状態が図３に示されている。
【００１８】
上記デジタルカメラは、蓋体３を閉じ位置でロックするためのロック機構を更に具えている。該ロック機構は、図３に示される様に、蓋体３の先端部３２に配備された一対のフック状の係合部４１，４２と、カメラ本体２に配備された一対の係合受け部４３，４４とを具えると共に、図２に示される様に、蓋体３の表面にスライド操作可能に配備されたロックレバー４５を更に具えている。
【００１９】
一対の係合受け部４３，４４は、格納室１の開口縁１２の近傍位置にて格納室１の内壁に形成されており、一対の係合受け部４３，４４には、蓋体３を閉じた状態で一対の係合部４１，４２を係脱させることが可能である。
【００２０】
一対の係合部４１，４２は、ロックレバー４５のスライドに伴って往復移動が可能である。具体的には、ロックレバー４５を図２に示される矢印９１の方向へスライドさせることにより、一対の係合部４１，４２は、図４に示す如く、蓋体３の先端から前方へ突出することとなる前進位置へ移動する。従って、蓋体３を閉じた状態で一対の係合部４１，４２を前進位置に移動させることにより、一対の係合部４１，４２は一対の係合受け部４３，４４に係合することとなる。
【００２１】
一方、ロックレバー４５を図２に示される矢印９２の方向へスライドさせることにより、一対の係合部４１，４２は、図５に示す如く、蓋体３の先端から後方へ退くこととなる後退位置へ移動する。従って、蓋体３が閉じられた状態で一対の係合部４１，４２を後退位置に移動させることにより、一対の係合部４１，４２は一対の係合受け部４３，４４から離脱すこととなる。
【００２２】
カメラ本体２の格納室1の開口縁１２には、図３に示す如く、一対の係合受け部４３，４４によって挟まれた位置に切り欠き２１が形成されている。図６に示される様に、格納室１にコードＡ１付きのカプラＡを格納する場合、切り欠き２１にはカプラＡのコードＡ１が通される。これにより、カプラＡのコードＡ１は、カメラ本体２の外部に引き出されることなる。
この様に切り欠き２１にカプラＡのコードＡ１を通すことにより、カプラＡを格納室１に格納した場合でも、格納室１の開口１１を蓋体３によって閉じることが可能になっている。
【００２３】
尚、格納室１に電池を格納する場合には、図２に示される様に、切り欠き２１はカバー５によって塞がれる。
【００２４】
カプラＡを格納室１に格納した後、一対の係合部４１，４２を後退位置に移動させた状態で蓋体３を閉じ位置まで回転させ、図７に示す如く蓋体３によって格納室１の開口１１を閉じる。そして、蓋体３が閉じられた状態で、一対の係合部４１，４２を前進位置まで移動させて、一対の係合部４１，４２を一対の係合受け部４３，４４に係合させる。これにより、蓋体３は閉じ位置でロックされることとなる。
【００２５】
上述したデジタルカメラによれば、切り欠き２１にコードＡ１を通した状態で、格納室１にコードＡ１付きのカプラＡを格納することにより、カプラＡのコードＡ１は、一対の係合受け部４３，４４の間に位置することとなる。よって、蓋体３が閉じ位置でロックされた状態のときには、コードＡ１は、一対の係合受け部４３，４４に係合した一対の係合部４１，４２の間を通過することとなる。
【００２６】
従って、何らかの原因によりカプラＡのコードＡ１が引っ張られて蓋体３がコードＡ１によって開き方向に押圧された場合であっても、蓋体３に作用する力は、コードＡ１の両側に位置する一対の係合部４１，４２と一対の係合受け部４３，４４との２つの係合構造によって偏りなく受け止められる。よって、カプラＡのコードＡ１が引っ張られた場合でも、蓋体３の開きや変形が生じにくい。
【００２７】
尚、本発明の各部構成は上記実施の形態に限らず、特許請求の範囲に記載の技術的範囲内で種々の変形が可能である。例えば、上述した技術は、デジタルカメラに限らず、ビデオカメラや携帯電話機など、格納室を有する種々の電子機器に適用することができる。
又、格納室に格納されるコード付きの物品は、コードＡ１付きのカプラＡに限らず、外部記憶装置、モニタ、無線送受信装置、照明装置、プリンタ、マイクロフォンなどの外部装置とのインタフェースなどであってもよい。
【図面の簡単な説明】
【００２８】
【図１】本発明の一実施形態に係るデジタルカメラを示す斜視図である。
【図２】該デジタルカメラを、前後及び上下を逆転させて示した斜視図である。
【図３】該デジタルカメラにおいて、格納室にカプラが挿入されようとしている状態を示す斜視図である。
【図４】ロック機構を構成する一対の係合部が前進位置に移動した状態を示す斜視図である。
【図５】該一対の係合部が後退位置に移動した状態を示した斜視図である。
【図６】該デジタルカメラにおいて、格納室にカプラが格納された状態を示す斜視図である。
【図７】該デジタルカメラにおいて、カプラが格納された格納室を蓋体で閉じた状態を示す斜視図である。
【符号の説明】
【００２９】
１  格納室
１１  開口
１２  開口縁
２  カメラ本体
２１  切り欠き
３  蓋体
３１  基端部
３２  先端部
４１，４２  一対の係合部
４３，４４  一対の係合受け部
４５  ロックレバー
Ａ  カプラ
Ａ１  コード
【図１】
2010124252.tif 000003
【図２】
2010124252.tif 000004
【図３】
2010124252.tif 000005
【図４】
2010124252.tif 000006
【図５】
2010124252.tif 000007
【図６】
2010124252.tif 000008
【図７】
2010124252.tif 000009